(57)【要約】【課題】ユーザが、自分の充電設備を開放して他のユーザの車両の充電が行われることのメリットや満足感を得ることのできる情報処理装置および情報処理方法を提供する。【解決手段】実施形態の一態様に係る情報処理装置においては、取得部と、通知部とを備える。取得部は、ユーザが有する充電設備を利用してユーザとは異なる他のユーザの車両に搭載されたバッテリが充電される際の、充電設備の売電に関する情報を取得する。通知部は、取得部によって取得された売電に関する情報をユーザに通知する。【選択図】図１
2019185308.tif 000002
【特許請求の範囲】
【請求項１】
ユーザが有する充電設備を利用して前記ユーザとは異なる他のユーザの車両に搭載されたバッテリが充電される際の、前記充電設備の売電に関する情報を取得する取得部と、
前記取得部によって取得された前記売電に関する情報を前記ユーザに通知する通知部と
を備えることを特徴とする情報処理装置。
【請求項２】
前記通知部は、
前記充電設備において売電された売電量、売電額、および、前記ユーザが有する発電設備により発電された発電量の売電量に対する割合のうち少なくともいずれかを、前記売電に関する情報として前記ユーザに通知すること
を特徴とする請求項１に記載の情報処理装置。
【請求項３】
前記取得部は、
前記充電設備の将来の需要に関する情報を示す需要予測情報を取得し、
前記通知部は、
前記取得部によって取得された前記需要予測情報を前記ユーザに通知すること
を特徴とする請求項１または２に記載の情報処理装置。
【請求項４】
前記ユーザが有する発電設備により発電された発電量、および、前記需要予測情報の少なくともいずれかに基づいて、前記充電設備における売電の料金を設定する設定部
をさらに備えることを特徴とする請求項３に記載の情報処理装置。
【請求項５】
前記ユーザが有する発電設備により発電された発電量、および、前記需要予測情報の少なくともいずれかに基づいて、前記充電設備における売電量の上限値を設定する設定部
をさらに備えることを特徴とする請求項３または４に記載の情報処理装置。
【請求項６】
前記取得部は、
前記充電設備における売電の料金設定と、前記充電設備から所定範囲内にある他の充電設備における売電の料金設定とに基づいて順位づけした、前記充電設備および前記他の充電設備のランキング情報を取得し、
前記通知部は、
前記取得部によって取得された前記ランキング情報を前記ユーザに通知すること
を特徴とする請求項１〜５のいずれか一つに記載の情報処理装置。
【請求項７】
ユーザが有する充電設備を利用して前記ユーザとは異なる他のユーザの車両に搭載されたバッテリが充電される際の、前記充電設備の売電に関する情報を取得する取得工程と、
前記取得工程によって取得された前記売電に関する情報を前記ユーザに通知する通知工程と
を含むことを特徴とする情報処理方法。
【発明の詳細な説明】
【技術分野】
【０００１】
本発明は、情報処理装置および情報処理方法に関する。
【背景技術】
【０００２】
従来、車両に搭載されたバッテリの充電を、例えば、一般の家庭にある充電設備を利用して行う技術が広く知られている（例えば、特許文献１参照）。
【先行技術文献】
【特許文献】
【０００３】
【特許文献１】特開２００９−２４８６４４号公報
【発明の概要】
【発明が解決しようとする課題】
【０００４】
ところで、近年、ユーザが有する充電設備を他のユーザに開放して、他のユーザの車両のバッテリを充電させることが行われている。ここで、上記したような自分の充電設備を開放するユーザが増えると、車両のバッテリを充電できる場所が増えるため、他のユーザにとってはメリットを得やすい。
【０００５】
しかしながら、従来技術においては、ユーザの充電設備を他のユーザに開放することが想定されていない。そのため、自分の充電設備を開放するユーザにとっては、メリットや満足感を得にくかった。
【０００６】
本発明は、上記に鑑みてなされたものであって、ユーザが、自分の充電設備を開放して他のユーザの車両の充電が行われることのメリットや満足感を得ることのできる情報処理装置および情報処理方法を提供することを目的とする。
【課題を解決するための手段】
【０００７】
上記課題を解決し、目的を達成するために、本発明は、情報処理装置において、取得部と、通知部とを備える。取得部は、ユーザが有する充電設備を利用して前記ユーザとは異なる他のユーザの車両に搭載されたバッテリが充電される際の、前記充電設備の売電に関する情報を取得する。通知部は、前記取得部によって取得された前記売電に関する情報を前記ユーザに通知する。
【発明の効果】
【０００８】
本発明によれば、ユーザは、自分の充電設備を開放して他のユーザの車両の充電が行われることのメリットや満足感を得ることができる。
【図面の簡単な説明】
【０００９】
【図１】図１は、実施形態に係る情報処理方法の概要を示す図である。
【図２】図２は、情報処理装置を備えた情報処理システムの構成例を示すブロック図である。
【図３】図３は、情報処理装置の構成例を示すブロック図である。
【図４】図４は、売電情報が表示されたユーザ端末の表示部の一例を示す図である。
【図５】図５は、予測情報が表示されたユーザ端末の表示部の一例を示す図である。
【図６】図６は、ランキング情報が表示されたユーザ端末の表示部の一例を示す図である。
【図７】図７は、情報処理装置が実行する処理手順を示すフローチャートである。
【発明を実施するための形態】
【００１０】
以下、添付図面を参照して、本願の開示する情報処理装置および情報処理方法の実施形態を詳細に説明する。なお、以下に示す実施形態によりこの発明が限定されるものではない。
【００１１】
＜１．情報処理装置による情報処理方法の概要＞
以下では先ず、実施形態に係る情報処理装置による情報処理方法の概要について図１を参照して説明する。図１は、実施形態に係る情報処理方法の概要を示す図である。
【００１２】
実施形態に係る情報処理方法は、例えば情報処理システム１が備える情報処理装置２０によって実行される。具体的に説明すると、図１に示すように、情報処理システム１は、ユーザ端末１０と、充電設備７０と、情報処理装置２０とを備える。
【００１３】
ユーザ端末１０は、例えばユーザＵによって携帯あるいは所持される端末装置である。ユーザ端末１０には、表示部１２が含まれ、後述する情報処理装置２０からの通知情報を表示することができる。
【００１４】
充電設備７０は、図示しないユーザＵの車両のバッテリや、車両１００のバッテリ１１０などを充電可能な設備である。また、充電設備７０は、ユーザＵが有する設備である。なお、充電設備７０は、ユーザＵの自宅などを含め任意の場所に設置することができる。
【００１５】
上記した車両１００は、例えば電気自動車やプラグインハイブリッド車両など、電力によって走行可能な車両であるが、これらに限定されるものではない。かかる車両１００は、ユーザＵとは異なる他のユーザＡが有する車両である。
【００１６】
なお、本明細書において「ユーザＵが有する」や「他のユーザＡが有する」の「有する」とは、ユーザＵや他のユーザＡが所有している場合のみならず、例えば、ユーザＵ等が管理したり、レンタルしたり、専ら利用しているような場合なども含まれるものとする。
【００１７】
また、充電設備７０は、他のユーザＡの車両１００のバッテリ１１０を充電する場合、電力を他のユーザＡに対して売る、いわゆる売電を行うものとする。
【００１８】
ここでは先ず、ユーザＵが有する充電設備７０を利用して、他のユーザＡの車両１００に搭載されたバッテリ１１０が充電される（ステップＳ１）。
【００１９】
そして、バッテリ１１０の充電が完了すると、情報処理装置２０は、充電設備７０の売電に関する情報を取得する（ステップＳ２）。充電設備７０の売電に関する情報には、例えば、充電設備７０において売電された売電量や売電額などが含まれるが、これについては、図４を参照して後述する。
【００２０】
そして、情報処理装置２０は、取得された売電に関する情報をユーザＵに通知する（ステップＳ３）。例えば、情報処理装置２０は、売電に関する情報を示す信号をユーザ端末１０へ送信し、売電に関する情報がユーザ端末１０の表示部１２に表示されるようにする。
【００２１】
このように、本実施形態にあっては、売電に関する情報がユーザＵに通知されることから、ユーザＵは、例えば売電によって利益を得られたことを容易に認識することが可能となる。これにより、ユーザＵは、自分の充電設備７０を開放して他のユーザＡの車両１００の充電が行われることのメリットや満足感を得ることができる。
【００２２】
なお、上記では、バッテリ１１０の充電が完了したタイミングで、売電に関する情報がユーザＵに通知されるようにしたが、通知のタイミングは、これに限定されるものではない。すなわち、例えば、ユーザＵによるユーザ端末１０の操作によって通知要求がなされたタイミングや、定期的あるいは不定期のタイミングなど、その他のタイミングで、売電に関する情報がユーザＵに通知されるようにしてもよい。
【００２３】
＜２．情報処理システムの全体構成＞
次に、実施形態に係る情報処理装置２０を備えた情報処理システム１の構成について、図２を用いて説明する。図２は、情報処理装置２０を備えた情報処理システム１の構成例を示すブロック図である。なお、図２などのブロック図では、本実施形態の特徴を説明するために必要な構成要素のみを機能ブロックで表しており、一般的な構成要素についての記載を省略している。
【００２４】
換言すれば、図２などのブロック図に図示される各構成要素は機能概念的なものであり、必ずしも物理的に図示の如く構成されていることを要しない。例えば、各機能ブロックの分散・統合の具体的形態は図示のものに限られず、その全部または一部を、各種の負荷や使用状況などに応じて、任意の単位で機能的または物理的に分散・統合して構成することが可能である。
【００２５】
図２に示すように、情報処理システム１は、上記したユーザ端末１０と、充電設備７０と、発電設備８０と、外部装置９０と、情報処理装置２０とを含み、これらはインターネット網などの通信ネットワークＮを介して通信可能に接続される。
【００２６】
ユーザ端末１０は、例えばスマートフォンやタブレット端末、パーソナルコンピュータなどであるが、これに限られない。すなわち、ユーザ端末１０は、情報処理装置２０から通知される情報を受信して、ユーザＵに通知できる装置であれば、どのような装置であってもよい。
【００２７】
充電設備７０は、後述する発電設備８０や図示しない商用電源などの外部電源に接続され、外部電源から供給された電力を車両１００のバッテリ１１０などへ出力して充電することができる。
【００２８】
発電設備８０は、例えば、図示しない太陽光パネルなどを含み、太陽光エネルギを利用して自家発電された電力を蓄電することができる。なお、発電設備８０は、上記した太陽光発電に限られず、風力発電などその他の自然エネルギを利用した自家発電で得た電力を蓄電するようにしてもよい。また、発電設備８０は、例えば、家庭用燃料電池などを有するコージェネレーションシステムで発電された電力を蓄電するようにしてもよい。
【００２９】
発電設備８０は、充電設備７０と同様、ユーザＵが有する設備である。なお、発電設備８０により発電される電力は、自然エネルギを利用した自家発電で得られる電力であるため、例えば、充電設備７０において売電する際は、発電設備８０の電力の方が商用電源の電力よりも、ユーザＵの利益は大きくなる。
【００３０】
外部装置９０は、各種の情報を配信するウェブサーバである。例えば、外部装置９０は、充電設備７０が所在する地域のイベント情報や観光情報、交通情報など各種の情報を配信する。
【００３１】
ここで、情報処理装置２０は、外部装置９０からの情報に基づいて、充電設備７０の将来の需要に関する情報を示す需要予測情報を得ることができる。すなわち、例えば、イベント情報に、充電設備７０が所在する地域でイベントが開催される情報が含まれる場合、かかる地域を多くの人（例えば他のユーザＡ）が訪れて、充電設備７０の利用者が増えると予測される。
【００３２】
このように、外部装置９０は、充電設備７０の将来の需要に関する情報を示す需要予測情報を配信することができる。なお、需要予測情報は、外部装置９０による配信に限定されるものではなく、例えば、配信された交通情報などに基づいて情報処理装置２０が生成してもよい。
【００３３】
＜３．情報処理装置の構成＞
次に、情報処理装置２０について図３を参照して説明する。図３は、情報処理装置２０の構成例を示すブロック図である。
【００３４】
図３に示すように、情報処理装置２０は、通信部３０と、制御部４０と、記憶部５０とを備える。通信部３０は、通信ネットワークＮに接続され、例えばユーザ端末１０、充電設備７０、発電設備８０および外部装置９０などとの間で情報の送受信を行う。
【００３５】
なお、通信部３０は、充電設備７０から所定範囲内にある他の充電設備（図示せず）、すなわち、充電設備７０の近隣にある他の充電設備との間で情報の送受信を行うこともできる。
【００３６】
制御部４０は、取得部４１と、通知部４２と、設定部４３とを備える。また、記憶部５０は、売電情報５１と、発電情報５２と、予測情報５３と、ランキング情報５４と、設定情報５５とを記憶する。
【００３７】
ここで、情報処理装置２０は、例えば、ＣＰＵ（Central  Processing  Unit）、ＲＯＭ（Read  Only  Memory）、ＲＡＭ（Random  Access  Memory）、ＨＤＤ（Hard  Disk  Drive）、入出力ポートなどを有するコンピュータや各種の回路を含む。  
【００３８】
コンピュータのＣＰＵは、例えば、ＲＯＭに記憶されたプログラムを読み出して実行することによって、制御部４０の取得部４１、通知部４２および設定部４３として機能する。また、取得部４１、通知部４２および設定部４３の少なくともいずれか一つまたは全部をＡＳＩＣ（Application  Specific  Integrated  Circuit）やＦＰＧＡ（Field  Programmable  Gate  Array）等のハードウェアで構成することもできる。  
【００３９】
また、記憶部５０は、例えば、ＲＡＭやＨＤＤに対応する。ＲＡＭやＨＤＤは、売電情報５１、発電情報５２、予測情報５３、ランキング情報５４および設定情報５５を記憶することができる。なお、情報処理装置２０は、有線や無線のネットワークで接続された他のコンピュータや可搬型記録媒体を介して上記したプログラムや各種情報を取得することとしてもよい。
【００４０】
取得部４１は、通信部３０を介して種々の情報を取得することができる。例えば、取得部４１は、他のユーザＡの車両１００のバッテリ１１０の充電が完了すると、充電設備７０の売電に関する情報を充電設備７０から取得する。
【００４１】
取得部４１は、取得した売電に関する情報を売電情報５１として記憶部５０に記憶させる。売電情報５１には、例えば、充電設備７０において売電された売電量、売電額、および、発電設備８０により発電された発電量（自家発電量）の売電量に対する割合などが含まれる。
【００４２】
また、取得部４１は、発電設備８０から発電量を示す情報を取得し、発電情報５２として記憶部５０に記憶させる。
【００４３】
そして、通知部４２は、例えばバッテリ１１０の充電が完了したタイミングなど所定の通知タイミングのとき、売電情報５１を読み出し、ユーザ端末１０へ通信部３０を介して送信してユーザＵへ通知する。
【００４４】
図４は、売電情報５１が表示されたユーザ端末１０の表示部１２の一例を示す図である。図４に示すように、表示部１２のうち、表示領域１２ａには、発電量の売電量に対する割合を示す情報が表示されている。また、表示領域１２ｂには、売電量、売電額、および、前月比を示す情報が表示されている。
【００４５】
ここで、発電量の売電量に対する割合について説明する。図４の例では、全売電量のうち、発電量が９０％、商用電源の電力が１０％であることを示している。上記したように、充電設備７０において売電する際は、発電設備８０の電力の方が商用電源の電力よりも、ユーザＵの利益は大きい。
【００４６】
すなわち、発電量の売電量に対する割合が多くなるにつれて、ユーザＵの利益は大きくなる。このような割合を示す情報が、ユーザＵに通知されることから、ユーザＵは、例えば割合が多ければ、売電によって大きな利益を得られたことを容易に認識することが可能となり、メリットや満足感をより得ることができる。
【００４７】
また、売電量、売電額、および、前月比を示す情報についても同様に、ユーザは、かかる情報が通知されることで、自分の充電設備７０を開放して他のユーザＡの車両１００の充電が行われることのメリットや満足感を得ることができる。
【００４８】
図３の説明に戻ると、取得部４１は、需要予測情報を外部装置９０から取得し、予測情報５３として記憶部５０に記憶させる。
【００４９】
そして、通知部４２は、例えばユーザＵによるユーザ端末１０の操作によって需要予測情報の通知要求がなされるなど所定の通知タイミングのとき、予測情報５３を読み出し、ユーザ端末１０へ通信部３０を介して送信してユーザＵへ通知する。
【００５０】
図５は、予測情報５３が表示されたユーザ端末１０の表示部１２の一例を示す図である。図５に示すように、表示部１２の表示領域１２ｃには、充電設備７０の将来の需要に関する情報が表示されている。図５では、充電設備７０の需要を示す予想台数が４月５日に最も多くなる例を示している。
【００５１】
ユーザＵは、このような充電設備７０の将来の需要に関する情報を認識することで、例えば充電設備７０が自宅の駐車場などである場合、４月５日は駐車場を空けて他のユーザＡに開放する、事前に消費電力の比較的大きい機器の使用を控えるなどして発電設備８０に蓄電される電力量を確保しておくことで、売電量に占める発電量の割合を増やせるようにしておくなど、メリットや満足感を得るための行動を取ることが可能になる。
【００５２】
図３の説明に戻ると、取得部４１は、充電設備７０から所定範囲内にある他の充電設備から、売電の料金設定の情報を取得する。さらに、取得部４１は、後述する設定情報５５に含まれる、ユーザＵが有する充電設備７０における売電の料金設定の情報を取得する。
【００５３】
そして、取得部４１は、得られた各料金設定に基づいて順位づけし、充電設備７０および他の充電設備のランキング情報５４として記憶部５０に記憶させる。
【００５４】
そして、通知部４２は、例えばユーザＵによるユーザ端末１０の操作によってランキング情報の通知要求がなされるなど所定の通知タイミングのとき、ランキング情報５４を読み出し、ユーザ端末１０へ通信部３０を介して送信してユーザＵへ通知する。
【００５５】
図６は、ランキング情報５４が表示されたユーザ端末１０の表示部１２の一例を示す図である。図６に示すように、表示部１２の表示領域１２ｄには、充電設備７０および他の充電設備のランキング情報５４が表示されている。
【００５６】
ユーザＵは、このようなランキング情報５４を認識することで、自分の充電設備７０の料金設定を、より利益を出せるような値に設定し直すなど、メリットや満足感を得るための行動を取ることが可能になる。
【００５７】
なお、上記したランキング情報５４では、料金設定に基づいて順位づけしたが、これに限定されるものではなく、例えば売電量や利用台数などその他の値に基づいて順位づけしてもよい。
【００５８】
設定部４３は、発電情報５２に含まれる発電設備８０の発電量や、需要予測情報に基づいて、充電設備７０における売電の料金を設定し、かかる料金の設定を示す情報を設定情報５５として記憶部５０に記憶させることができる。
【００５９】
すなわち、設定部４３は、例えば、発電量が比較的多いときや、需要が多いと予測されるようなときは、売電の料金を下げるように設定し、売電量の増加を図ったりすることが可能となる。なお、設定部４３による料金の設定は、発電量や需要予測情報に応じて自動で行われてもよいし、ユーザＵによって行われてもよい。
【００６０】
また、設定部４３は、発電設備８０の発電量や、需要予測情報に基づいて充電設備における売電量の上限値を設定し、かかる上限値の設定を示す情報を設定情報５５として記憶部５０に記憶させることができる。すなわち、設定部４３は、例えば、発電量が比較的少ないときは、売電量の上限値を下げるように設定し、ユーザＵ自身が利用する発電量を確保することができる。
【００６１】
また、設定部４３は、需要が多いと予測されるようなときは、売電量の上限値を上げるように設定し、売電量の増加を図ったりすることが可能となる。なお、設定部４３による上限値の設定についても、発電量や需要予測情報に応じて自動で行われてもよいし、ユーザＵによって行われてもよい。
【００６２】
＜４．実施形態に係る情報処理装置の制御処理＞
次に、情報処理装置２０における具体的な処理手順について図７を用いて説明する。図７は、情報処理装置２０が実行する処理手順を示すフローチャートである。
【００６３】
図７に示すように、情報処理装置２０の制御部４０は、売電に関する情報の通知タイミングか否かを判定する（ステップＳ１０）。制御部４０は、売電に関する情報の通知タイミングと判定された場合（ステップＳ１０，Ｙｅｓ）、売電に関する情報を取得してユーザＵへ通知する（ステップＳ１１）。
【００６４】
他方、制御部４０は、売電に関する情報の通知タイミングと判定されない場合（ステップＳ１０，Ｎｏ）、ステップＳ１１の処理をスキップする。
【００６５】
次いで、制御部４０は、需要予測情報の通知タイミングか否かを判定する（ステップＳ１２）。制御部４０は、需要予測情報の通知タイミングと判定された場合（ステップＳ１２，Ｙｅｓ）、需要予測情報を取得してユーザＵへ通知する（ステップＳ１３）。
【００６６】
他方、制御部４０は、需要予測情報の通知タイミングと判定されない場合（ステップＳ１２，Ｎｏ）、ステップＳ１３の処理をスキップする。
【００６７】
次いで、制御部４０は、ランキング情報の通知タイミングか否かを判定する（ステップＳ１４）。制御部４０は、ランキング情報の通知タイミングと判定された場合（ステップＳ１４，Ｙｅｓ）、ランキング情報を取得してユーザＵへ通知する（ステップＳ１５）。
【００６８】
一方、制御部４０は、ランキング情報の通知タイミングと判定されない場合（ステップＳ１４，Ｎｏ）、ステップＳ１５の処理をスキップする。
【００６９】
上述してきたように、実施形態に係る情報処理装置２０は、取得部４１と、通知部４２とを備える。取得部４１は、ユーザＵが有する充電設備７０を利用してユーザＵとは異なる他のユーザＡの車両１００に搭載されたバッテリ１１０が充電される際の、充電設備７０の売電に関する情報を取得する。通知部４２は、取得部４１によって取得された売電に関する情報をユーザＵに通知する。これにより、ユーザＵは、自分の充電設備７０を開放して他のユーザＡの車両１００の充電が行われることのメリットや満足感を得ることができる。
【００７０】
なお、上記した実施形態においては、ユーザ端末１０に各種の情報を表示させるようにしたが、これに限定されるものではなく、例えば充電設備７０や発電設備８０に表示部を設け、各種の情報を表示させてユーザＵへ通知するようにしてもよい。
【００７１】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００７２】
１０  ユーザ端末
２０  情報処理装置
４１  取得部
４２  通知部
７０  充電設備
１００  車両
１１０  バッテリ
【図１】
2019185308.tif 000003
【図２】
2019185308.tif 000004
【図３】
2019185308.tif 000005
【図４】
2019185308.tif 000006
【図５】
2019185308.tif 000007
【図６】
2019185308.tif 000008
【図７】
2019185308.tif 000009